(57)【特許請求の範囲】
【請求項１】
建物の所定階床のエレベータ乗場に設けられたボックスの上下に一対設けられるばね板と、このばね板に装着される乗場呼び装置と、上記ボックス内に配置されエレベータ制御装置に接続されるコネクタとを備え、上記乗場呼び装置を上記ボックスから取り外し、上記コネクタに携帯端末装置を接続するようにしたエレベータの保全装置において、
上記コネクタに上記携帯端末装置を接続する際に上記乗場呼び装置を上記ボックスから所定長だけ突出した状態に保持する乗場呼び装置用保持装置を設け、
この乗場呼び装置用保持装置は、
上記ばね板に着脱自在に装着され、それぞれ断面コ字状の耳部を有した一対のボックス側保持具と、
上記乗場呼び装置に固定されるとともに、上記耳部のそれぞれに挿入され、挿入方向に厚みを徐々に減少したテーパー部を有する乗場呼び装置側保持具とを備えていることを特徴とするエレベータの保全装置。
【請求項２】
建物の所定階床のエレベータ乗場に設けられたボックスの上下に一対設けられるばね板と、このばね板に装着される乗場呼び装置と、上記ボックス内に配置されエレベータ制御装置に接続されるコネクタとを備え、上記乗場呼び装置を上記ボックスから取り外し、上記コネクタに携帯端末装置を接続するようにしたエレベータの保全装置において、
上記コネクタに上記携帯端末装置を接続する際に上記乗場呼び装置を上記ボックスから所定長だけ突出した状態に保持する乗場呼び装置用保持装置を設け、
この乗場呼び装置用保持装置は、
上記ボックスと上記ブラケット間に装着される挿入部と、
上記乗場呼び装置に取り付けられるねじ部を有する折り曲げ部とを有し、
全体が断面Ｌ字状に形成されていることを特徴とするエレベータの保全装置。
【発明の詳細な説明】
【０００１】
【発明の属する技術分野】
本発明は、エレベータの保全装置に係り、特に、乗場呼び装置のボックス内に配設されたコネクタに携帯端末装置を接続させて保全作業を行なうに好適なエレベータの保全装置に関する。
【０００２】
【従来の技術】
一般に、エレベータ制御装置に記憶されたエレベータのデータの読み出しや書き換えを行なうとき、エレベータ制御盤に設けたコネクタに携帯端末装置を装着させて作業を行なうように構成していた。しかし、建物にエレベータ専用の機械室がなく昇降路内に巻上機やエレベータ制御盤を設置したエレベータの保全装置では、特開平１１−３３５０２６号公報に記載のように昇降路内に入ることなく携帯端末装置をエレベータの制御装置に接続することができるように、所定階床の乗場呼び装置のボックス内にエレベータ制御装置に接続可能なコネクタを配設しており、このコネクタに携帯端末装置を接続させて保全作業を行なうようにしていた。
【０００３】
【発明が解決しようとする課題】
しかしながら、従来によるエレベータの保全装置は、ボックスから外した乗場呼び装置を配線用ケーブルで宙吊り状態にしながら、携帯端末装置をコネクタに接続して作業を行なうため、配線用ケーブルや乗場呼び装置の基盤と配線用ケーブルの接続部に乗場呼び装置の荷重が掛かり、配線用ケーブルが伸びたり基盤から外れたりする危険があった。また、宙吊り状態となった乗場呼び装置の揺れによって、乗場の壁や乗場呼び装置が装着される三方枠等の意匠部に傷を付けてしまったり、エレベータが使用できるにも拘わらず乗場呼び装置が外されているので、利用者が利用し難く迷惑を掛けてしまうこともあった。
【０００４】
本発明の目的は、乗場呼び装置を宙吊り状態とせずに携帯端末装置をコネクタに接続できると共に、作業中でも乗場呼び装置をエレベータの利用者が操作できるようにしたエレベータの保全装置を提供することにある。
【０００５】
【課題を解決するための手段】
本発明は上記目的を達成するために、建物の所定階床のエレベータ乗場に設けられたボックスの上下に一対設けられるばね板と、このばね板に装着される乗場呼び装置と、上記ボックス内に配置されエレベータ制御装置に接続されるコネクタとを備え、上記乗場呼び装置を上記ボックスから取り外し、上記コネクタに携帯端末装置を接続するようにしたエレベータの保全装置において、上記コネクタに上記携帯端末装置を接続する際に上記乗場呼び装置を上記ボックスから所定長だけ突出した状態に保持する乗場呼び装置用保持装置を設け、この乗場呼び装置用保持装置は、上記ばね板に着脱自在に装着され、それぞれ断面コ字状の耳部を有した一対のボックス側保持具と、上記乗場呼び装置に固定されるとともに、上記耳部のそれぞれに挿入され、挿入方向に厚みを徐々に減少したテーパー部を有する乗場呼び装置側保持具とを備えていることを特徴とする。
【０００６】
また、本発明は上記目的を達成するために、建物の所定階床のエレベータ乗場に設けられたボックスの上下に一対設けられるばね板と、このばね板に装着される乗場呼び装置と、上記ボックス内に配置されエレベータ制御装置に接続されるコネクタとを備え、上記乗場呼び装置を上記ボックスから取り外し、上記コネクタに携帯端末装置を接続するようにしたエレベータの保全装置において、上記コネクタに上記携帯端末装置を接続する際に上記乗場呼び装置を上記ボックスから所定長だけ突出した状態に保持する乗場呼び装置用保持装置を設け、この乗場呼び装置用保持装置は、上記ボックスと上記ブラケット間に装着される挿入部と、上記乗場呼び装置に取り付けられるねじ部を有する折り曲げ部とを有し、全体が断面Ｌ字状に形成されていることを特徴とする。
【０００７】
【発明の実施の形態】
以下、本発明の実施の形態を図面により説明する。
【０００８】
図２は、本発明の一実施の形態によるエレベータの保全装置の取り付け状態を示す斜視図である。
【０００９】
所定階床の乗場１の壁２には開口部２Ａが形成され、この開口部２Ａの壁内に乗場呼び装置３を収納するボックス４が填め込まれている。定常状態で、このボックス４には、表示部３Ｂおよび押釦３Ｃを有する乗場呼び装置３が取り付けられているが、保全作業状態でこの乗場呼び装置３はボックス４から引き出され、この引き出した状態を詳細を後述する乗場呼び装置用保持装置７で保持している。ボックス４内には図示しないエレベータ制御装置に接続されたコネクタ６が設けられており、このコネクタ６にケーブル１０を介して携帯端末装置５を接続している。
【００１０】
図１は、図２の要部を拡大して示す斜視図である。
【００１１】
ボックス４の奥部には通線穴４Ｂが形成されており、この通線穴４Ｂに一端を図示しないエレベータ制御装置に接続した配線用ケーブル１１が挿通され、この配線用ケーブル１１の他端は乗場呼び装置３の表示部３Ｂおよび押釦３Ｃに接続されている。また図示しないエレベータ制御装置に接続されたコネクタ６が設けられている。上述した乗場呼び装置用保持装置７は、ボックス４側に取り付けたボックス側保持具８と、乗場呼び装置側保持具９とから成り、上下に一対設けられているので下部の方について説明する。
【００１２】
ボックス４の内部下面にばね板１２をビスなどによって固定し、このばね板１２によってボックス側保持具８の奥側板部８Ａを挟持している。ボックス側保持具８の先端側には左右一対の耳部８Ｂが形成されて、この耳部８Ｂ内に乗場呼び装置側保持具９が挿入されている。乗場呼び装置側保持具９は、その反挿入側を図示を省略したビスなどの固定手段で乗場呼び装置３の裏面側に固定しており、また、その挿入方向には厚みを徐々に減少したテーパー部が形成されている。このテーパー部をボックス側保持具８の耳部８Ｂ内に堅く挿入することによって、乗場呼び装置３をボックス４から所定長だけ突出した状態に保持している。上方部の乗場呼び装置用保持装置７についても同様の構成である。
【００１３】
次に、上述したエレベータの保全装置を用いて行なう保全作業を説明する。
【００１４】
まず、作業者Ａは、壁２のボックス４に装着されている乗場呼び装置３を引き抜き、ボックス４の上下にばね板１２をそれぞれ設け、このばね板１２に係止したボックス側保持具８に乗場呼び装置側保持具９を挿入して乗場呼び装置用保持装置７を完成させ、この乗場呼び装置用保持装置７によって乗場呼び装置３をボックス４から所定長だけ突出した状態に保持する。
【００１５】
その前後に、ボックス４内に設けられているコネクタ６にケーブル１０を介して携帯端末装置５を接続する。次に、作業者Ａは、携帯端末装置５を操作して図示しないエレベータ制御装置とのデータの送受信を行なって、所定の保全作業を行なう。
【００１６】
この保全作業中に、エレベータを利用しようとする乗客が乗場１に来ても、乗場呼び装置３が乗場呼び装置用保持装置７を介して表面側に取り付けられているので、乗場呼び装置３の押釦３Ｃの操作が行なえると共に、表示部３Ｂも確認でき、保全作業がエレベータ利用者の妨げにならない。また、作業者Ａは、乗客が乗場１に近づいてきたとき、エレベータが利用できる旨を利用者に言葉で説明するだけでよいので、保全作業を中断されることなく効率良く行なえる。
【００１７】
図３は、本発明の他の実施の形態によるエレベータの保全装置を示す要部斜視図である。
【００１８】
通常、ボックス４の上下部近傍にそれぞれブラケット１３を固定しており、このブラケット１３の表面側にねじ孔１４を形成し、乗場呼び装置３の上下部に設けたビス１５をねじ孔１４に螺合して乗場呼び装置３をボックス４に取り付けている。
【００１９】
保全作業に際しては、先ず、ビス１５を取り外して乗場呼び装置３をボックス４から分離する。次に、乗場呼び装置３の裏面側に乗場呼び装置用保持装置７を構成する一方の乗場呼び装置側保持具９を取り付ける。この乗場呼び装置側保持具９は、乗場呼び装置３側を折り曲げたＬ字型の折り曲げ部９Ｂを有すると共に、この折り曲げ部９Ｂにねじ部を形成しており、ビス１５を用いて乗場呼び装置３の裏面側に乗場呼び装置側保持具９を取り付けている。また乗場呼び装置用保持装置７を構成する他方のボックス側保持具８は、ボックス４の上面とブラケット１３間に挿入部を形成して構成している。乗場呼び装置側保持具９は、所定の長さを有した板状であり、その先端側をボックス４の上面とブラケット１３間のボックス側保持具８に挿入して安定させると、先の実施の形態の場合と同様に乗場呼び装置３をボックス４から所定長だけ突出した状態に保持することができる。
【００２０】
このように既存の構成部材を利用してボックス側保持具８を構成しているため、構成を簡略化することができる。また、無くしやすいビス１５を保全作業中も使用することによってその紛失を防止することができる。
【００２１】
【発明の効果】
以上説明したように本発明によるエレベータの保全装置は、コネクタに携帯端末装置を接続する際に乗場呼び装置をボックスから所定長だけ突出した状態に保持する乗場呼び装置用保持装置を設けたことから、乗場呼び装置のケーブルやケーブルと基盤の接続部に負担を掛けたり、周囲の意匠部材に傷を付ける心配もなく、また仮保持された乗場呼び装置によってほぼ通常通りエレベータを利用することができる。
【図面の簡単な説明】
【図１】  本発明の一実施の形態によるエレベータの保全装置を示す斜視図である。
【図２】  図１に示したエレベータの保全装置を取り付けたエレベータ乗場の正面図である。
【図３】  本発明の他の実施の形態によるエレベータの保全装置の要部を示す斜視図である。
【符号の説明】
３  乗場呼び装置
４  ボックス
４Ａ  ばね板
５  携帯端末装置
６  コネクタ
７  乗場呼び装置用保持装置
８  ボックス側保持具
９  乗場呼び装置側保持具
１１  配線用ケーブル
【図１】
0004104272.tif 000002
【図２】
0004104272.tif 000003
【図３】
0004104272.tif 000004